(57)【要約】【課題】円柱体にはを接触させず、遊技球が円柱体内で詰まる現象をなくし、スムースに円柱体の回転が行われて遊技球の揚送が行われる遊技球揚送装置を備えたパチンコ機を提供する。【解決手段】パチンコ機の遊技盤面５３上の前部に、遊技球５７が上下動できるガイド５６を設けた案内板５５を装着し、案内板の後部側で、外周面に帯状の磁石５１を螺旋状に装着した磁石付き円柱体５０を立設し、該円柱体５０を回転駆動装置５２によって回転させ、磁石付き円柱体の回転によって、案内板５５を介して案内板のガイド５６内の遊技球５７を吸着しながら揚送または下降させることを特徴とする球揚送装置を備えたパチンコ機である。【選択図】    図１
2004337481.tif 000002
【特許請求の範囲】
【請求項１】
遊技盤の上部に発射された遊技球が、遊技盤面を下降する間に、各種入賞口に入賞するように設けたパチンコ機において、前記遊技盤を下降した遊技球が遊技球揚送装置によって再度上昇し、入賞口に入賞するチャンスが再び得られるようにしたことを特徴とするパチンコ機。
【請求項２】
前記遊技球揚送装置は、パチンコ機の遊技盤面上の前部に遊技球が上下動できるガイドを有す案内板を設け、該案内板の後部で、外周面に帯状の磁石を螺旋状に装着した磁石付き円柱体を立設し、該円柱体を回転駆動装置によって回転させ、該磁石付き円柱体の回転によって、前記案内板を介し案内板のガイド内にある遊技球を吸着しながら揚送または下降させることを特徴とする請求項１記載のパチンコ機。
【請求項３】
前記案内板のガイド上部に、案内板の後部で近接して回転する前記円柱体磁石の螺旋巻きに添って曲げられる上部球案内片を設け、ガイド内を上昇した遊技球をガイド上部でガイドの横方向に案内することを特徴とする請求項１乃至２記載のパチンコ機。
【請求項４】
前記案内板のガイド下部には、遊技球を前記円柱体磁石に誘導する下部球受け片が設けられていることを特徴とする請求項１乃至２記載のパチンコ機。
【発明の詳細な説明】
【０００１】
【発明の属する技術分野】
本発明はパチンコ機の遊技盤面上に設けて、遊技球の流れに変化を持たせたパチンコ機、及びそのための遊技球揚送装置に関するものである。
【０００２】
【従来の技術】
従来、この種の遊技球揚送装置は、図３に示すように、円柱体８の外周面に形成された螺旋溝１０と、円柱体回転手段と、螺旋溝に遊技球を導入するための導入手段１６と、導入手段に遊技球を投入するための投入手段２３ａと、螺旋溝に導入されたパチンコ玉を上昇案内するための案内部材と、を備え、導入手段は、螺旋溝に導入されたパチンコ玉が通過できる隙間を形成しながら、円柱体の下端部を同心状に囲む短尺筒体４０と、短尺筒体４０の下端部で周方向に離間する遊技球を導入するための導入孔群４４と隣接する導入孔間に位置する短尺筒体４０の内壁面から突出する案内片群とからなり、遊技球を短尺筒体４０内に引き入れるための磁力手段１０ｍを配置して設けたものが開示されている。
【０００３】
この出願の先行技術文献として次のものがある。
【参考文献１】
特開２０００−１３５３６７
【０００４】
【発明が解決しようとする課題】
しかしながら、上記従来の遊技球揚送装置は、回転する円柱体８の螺旋溝１０上を遊技球が上昇するが、遊技球が螺旋溝１０に接触しているため、螺旋溝と案内片との間に遊技球が詰まって、円柱体８の回転が行われなくなってしまいパチンコ機内には使用できない問題があった。
本発明は、上記した問題を解決しようとするもので、遊技球を円柱体に接触させず、遊技球を上下動する回転体が詰まる現象をなくし、スムースな回転が行われて遊技球の揚送又は下降が行われる遊技球揚送装置およびこれを遊技盤面に応用して一度流下した遊技球が再度入賞口に入賞するチャンスが得られ、大きな興趣が得られるパチンコ機を提供するものである。
【０００５】
【課題を解決するための手段】
本発明の要旨は、遊技盤の上部に発射され他遊技球が、遊技盤面を下降する間に、各種入賞口に入賞するように設けたパチンコ機において、前記遊技盤を下降した遊技球が遊技球揚送装置によって再度上昇し、入賞口に入賞するチャンスが再び得られるようにしたことを特徴とするパチンコ機である。
【０００６】
本発明は上記の構成であるから、このため、遊技盤を下降した遊技球が再度上昇して再度下降するので、遊技盤の構成によっては入賞口に入賞するチャンスが再び得られ、遊技者にとっては入賞口に入賞するチャンスは２回得られるため、大きなゲームの興趣が得られる。
【０００７】
また本発明の請求項２の発明は、上記における遊技球揚送装置は、パチンコ機の遊技盤面上の前部に、遊技球が上下動できるガイドを有す案内板を設け、該案内板の後部で、外周面に帯状の磁石を螺旋状に装着した磁石付き円柱体を立設し、該円柱体を回転駆動装置によって回転させ、該磁石付き円柱体の回転によって、前記案内板を介し案内板のガイド内にある遊技球を吸着しながら揚送または下降させることを特徴とするパチンコ機である。
【０００８】
上記本発明の構成によって、遊技球は遊技盤面上に設けた案内板のガイドに誘導されると共に、案内板の後部側で遊技球を吸引する磁石付き円柱体が回転しているので、円柱体の外周面に帯状の磁石を螺旋状に装着した螺旋方向と円柱体の回転方向とによって、遊技球が上下に延びるガイドに案内されているので、遊技球がガイド溝内を上昇又は下降移動する。従って回転する磁石付き円柱体に遊技球が直接接触せずに上下移動でき、従って円柱体には回転運動の障害物が介在しないので円柱体の回転がスムースに行われ、回転不能になるような故障の問題がない。
【０００９】
本発明の請求項２の発明は、上記において案内板のガイド上部に、案内板の後部で近接して回転する前記円柱体磁石の螺旋巻きに添って曲げられる上部球案内片を設け、ガイド内を上昇した遊技球をガイド上部でガイドの横方向に案内することを特徴とするパチンコ機である。
【００１０】
上記の構成によって、円柱体の上部に上昇された遊技球は、ガイドの上部において上部球案内片によって横方向に案内され、上昇してきたガイド内から外れ、遊技盤上に放出される。このため遊技盤の構成によって、遊技盤を下降した遊技球が再度上昇して再度下降するので、入賞口に入賞するチャンスが再び得られ、遊技者にとっては大きな興趣が得られる。尚、上記の上部球案内片と共にこの案内片の下部に、横方向に放出された遊技球を受け止めて移動させる上部球受け片を設け、確実に遊技盤の横方向に放出されるように設けることが出来る。
【００１１】
本発明の請求項３の発明は、上記において案内板のガイド下部には、遊技球を円柱体磁石に誘導する下部球受け片が設けられていることを特徴とするパチンコ機である。
【００１２】
上記の構成によって、円柱体下部位置で遊技球案内板の下部表面に下部球受け片が設けてあり、この下部球受け片によって、遊技球が上下ガイドの下部位置に案内され、その時点で後部の円柱体磁石が遊技球に近い位置に来ており、吸引作用が働いていれば、遊技球は上下ガイド内に導かれ、ガイド内に吸着されながら上昇する。また遊技球がガイドの下部に案内された時点で円柱体磁石が作用していなければ、下部球受け片を通過して遊技盤の下部へ放出される。
【００１３】
【発明の実施の形態】
以下、本発明の実施の形態を図面に基づいて説明する。
図１、図２は本発明の第１実施例を示すパチンコ機を示す遊技球揚送装置で、図１は本発明の円柱体を示す正面図、図２は遊技盤５３に装着した状態を示す平面図である。
図１，図２において、５０は円柱体を示し、円柱体５０の表面は帯状の磁石５１を螺旋状に貼り付けて装着している。
磁石５１はゴム又はプラスチックで形成し磁化したもので、円柱体５０はプラスチックで形成し、プラスチック製円柱体５０の表面に帯状磁石５１を装着する螺旋溝を設け、図のように帯状磁石５１を螺旋状に貼り付け装着している。
円柱体５０の上部にステッピングモータ５２を設け、適度な周速度で円柱体５０を回転している。
【００１４】
図２は、本発明のパチンコ機の遊技球揚送装置をパチンコ機遊技盤５３に設けた状態を示す平面図である。
図２において、５３はベニヤ板で出来た遊技盤で、遊技盤５３の前面上部に遊技球５７を発射させ、落下移動中に各種入賞口に入賞させるパチンコ機ゲームが行われる。遊技盤５３には上記の円柱体５０を装着するための上下に長い貫通孔５４を設け、この貫通孔５４内に前記ステッピングモータ５２と一体の回転駆動する円柱体５０を装着している。
【００１５】
ステッピングモータ５２によって回転される円柱体５０の前面で、遊技盤５３の上下に延びる案内板５５が貼り付け装着されている。従って遊技盤５３の前面に座って遊技する遊技者からは遊技盤内の前記回転円柱体５０が見えず、どのような仕掛けで遊技球５７が上下移動するのか判らず、遊技における興趣が得られる。
【００１６】
案内板５５はプラスチック製で、前記円柱体５０表面と最も近接する中央部の前面側に上下に延びる上下溝ガイド５６、５６を設けている。ガイド溝の高さは円柱体５０磁石の吸引力が強ければ高い方がよいが、だいたい遊技球直径の１／４程度でよい。図１に案内板５５の正面図を示し、溝ガイド５６の上部は一方の溝ガイド５６に遊技球を横方向に案内する上部球案内片６２を設け、他方の溝ガイド５６には、上部球案内片６２で円柱体磁石５１の吸着から離脱するように案内された遊技球５７を受けて横方向に放出する上部球受け片６１を設けてある。これによって溝ガイド５６から離脱された遊技球は、上部球受け片６１上を転動して離れた位置へ放出される。
【００１７】
又溝ガイド５６の下部には下部球受け片６０を設けてあり、遊技盤上の遊技球をガイド５６の下部に案内し、円柱体磁石５１での吸引作用を誘導している。遊技球５７が溝ガイド５６下部に誘導された時点で円柱体５０の磁石が作用すれと、遊技球はガイド５６，５６内に案内されて吸着されながら上昇する。また溝ガイド５６下部に誘導された時点で円柱体５０の磁石が作用しなければ、下部球受け片６０を通過して放出される。
【００１８】
尚、ガイド５６内で遊技盤５３上を落下移動する遊技球５７が、ガイド５６の裏面で回転する円柱体５０表面の磁石５１によって吸引されると、磁石付き円柱体５０は回転しているので、螺旋状に装着された帯状の磁石５１の螺旋溝の方向と円柱体５０の回転方向との関係で、ガイド内の遊技球５７が上昇または下降する。図１に示す螺旋溝と回転方向では、遊技球はガイド５６内に吸引状態で横方向の移動が規制されて上昇する。尚、本実施例では円柱体の回転駆動モータ５２にステッピングモータを用いているので、円柱体の回転方向を時間間隔を置いて交互に回転させてもよい。
【００１９】
【発明の効果】
以上説明のように本発明のパチンコ機は、遊技盤を下降した遊技球が再度上昇して再度下降するので、入賞口に入賞するチャンスが再び得られ、遊技者にとっては大きな興趣が得られるものである。また本発明のパチンコ機における遊技球揚送装置は、パチンコ機の遊技盤面上の前部に、遊技球が上下動するガイドを設けた案内板を装着し、該案内板の後部で、外周面に帯状の磁石を螺旋状に装着した磁石付き円柱体を立設し、円柱体を回転駆動装置によって回転させて案内板を介してガイド内の遊技球を揚送又は下降する。このため遊技球は遊技盤面上のガイドを有す案内板に誘導されると共に、案内板の後部で遊技球を吸引する磁石付き円柱体が回転するので、遊技球が磁石付き円柱体に接触せず、円柱体に設けた磁石の吸引力で上昇または下降する。従って回転円柱体に障害物が介在しないので、故障の問題がなく、また遊技者からは円柱体が見えないため、遊技球上昇の仕掛けが判らず、遊技における興趣が増す。またガイドの上部で螺旋溝方向に遊技球を案内する上部球案内片を設けたので、ガイド上を上昇した遊技球はを確実にガイドから遊技盤面に放出できる。
【図面の簡単な説明】
【図１】本発明の一実施例を示すパチンコ機の遊技球揚送装置を示す正面図である。
【図２】本発明の一実施例を示す図１の平面図である。
【図３】従来技術を示す図である。
【符号の説明】
５０  円柱体
５１  磁石
５２  ステッピングモータ
５３  遊技盤
５４  貫通孔
５５  案内板
５６  ガイド
５７  遊技球
【図１】
2004337481.tif 000003
【図２】
2004337481.tif 000004
【図３】
2004337481.tif 000005